(57)【特許請求の範囲】
【請求項１】
透液性のトップシートと、不透液性のバックシートと、前記トップシートと前記バックシートとの間に介装される吸収体と、を備える吸収性物品において、
前記吸収体には、長手方向に延在する開口部又は厚みが薄く形成された凹み部が、使用者の手の指に対応するように長手方向に互いにずれた配置で幅方向に複数並設され、
前記バックシートの前記吸収体と反対側の面の少なくとも前記開口部又は前記凹み部を覆う位置に、外面シートが設けられ、
前記外面シートは、当該外面シートと前記バックシートとの間に手を挿入可能となるように前記バックシートに固定されていることを特徴とする吸収性物品。
【請求項２】
前記開口部又は前記凹み部は、幅方向において左右対称に形成されていることを特徴とする請求項１に記載の吸収性物品。
【請求項３】
前記外面シート及び前記バックシートが、通気性を有することを特徴とする請求項１又は２に記載の吸収性物品。
【請求項４】
前記バックシートの前記吸収体と反対側の面の少なくとも前記外面シートと重なる位置に、不織布が設けられていることを特徴とする請求項１〜３の何れか一項に記載の吸収性物品。
【請求項５】
前記外面シートの前記バックシートとの固定部に、人体に装着される外装体に当該吸収性物品を固定するための接着剤が塗布されたずれ止め部を備えることを特徴とする請求項１〜４の何れか一項に記載の吸収性物品。
【発明の詳細な説明】
【技術分野】
【０００１】
本発明は、吸収性物品に関する。
【背景技術】
【０００２】
従来、使い捨ての紙おむつやインナーパッド等に代表される吸収性物品は、透液性のトップシートと、不透液性のバックシートと、トップシートとバックシートとの間に介装される吸収体とを有しており、このような吸収性物品を下腹部に着用し、失禁により排出された尿などの体液を吸収体に吸収させることで、体液漏れを防止することができる。
【０００３】
また、一般的に、紙おむつはインナーパッドよりも高価な場合が多いため、インナーパッドを紙おむつの人体の接触面側に重ねて装着し、体液をインナーパッドの吸収体に吸収させ、インナーパッドのみを交換することで、紙おむつの交換回数を減らすといった工夫がなされることがある。また、ベッド等のシーツが体液で汚染されるのを防止するため、インナーパッドを紙おむつの外側の面に重ねて使用することもある。
【０００４】
上述の用途に加え、さらに、インナーパッド等の吸収性物品を、人体や紙おむつを清拭する用途に用いることがある。こうした清拭時の取り扱い易さを高めるため、バックシートの外側面にシートを設け、バックシートとシートとの間に手を挿入するためのポケットを形成したインナーパッドが提案されている（特許文献１参照）。このようなインナーパッドであれば、パッドによる清拭作業やパッドの交換作業に際してポケットに手を挿入して作業を行うことで、手からパッドが外れにくくパッドを動かし易くなり、作業を素早く且つ適切に行うことができる。
【先行技術文献】
【特許文献】
【０００５】
【特許文献１】特開２００８−２８４２８８号公報
【発明の概要】
【発明が解決しようとする課題】
【０００６】
ところが、特許文献１のインナーパッドを初めとする従来の吸収性物品では、トップシートとバックシートとの間に介装された吸収体が厚みをもって形成されており、清拭時に、吸収体が折れ曲がりにくくパッドを手で掴みにくいという問題があった。
また、医療や介護の現場等では、便の固さ等といった汚物の状態を把握するため、バックシートの外側面から汚物の触感を確かめる場合がある。ところが、従来の吸収性物品では、吸収体を介して触ったものの触感を得にくく、汚物の状態が分かりにくいという問題もあった。
【０００７】
本発明の課題は、清拭に使用される場合に、掴み易く、且つ、触ったものの触感を得易い吸収性物品を提供することである。
【課題を解決するための手段】
【０００８】
上記課題を解決するため、請求項１に記載の発明は、
透液性のトップシートと、不透液性のバックシートと、前記トップシートと前記バックシートとの間に介装される吸収体と、を備える吸収性物品において、
前記吸収体には、長手方向に延在する開口部又は厚みが薄く形成された凹み部が、使用者の手の指に対応するように長手方向に互いにずれた配置で幅方向に複数並設され、
前記バックシートの前記吸収体と反対側の面の少なくとも前記開口部又は前記凹み部を覆う位置に、外面シートが設けられ、
前記外面シートは、当該外面シートと前記バックシートとの間に手を挿入可能となるように前記バックシートに固定されていることを特徴とする。
【００１０】
請求項２に記載の発明は、請求項１に記載の吸収性物品において、
前記開口部又は前記凹み部は、幅方向において左右対称に形成されていることを特徴とする。
【００１１】
請求項３に記載の発明は、請求項１又は２に記載の吸収性物品において、
前記外面シート及び前記バックシートが、通気性を有することを特徴とする。
【００１２】
請求項４に記載の発明は、請求項１〜３の何れか一項に記載の吸収性物品において、
前記バックシートの前記吸収体と反対側の面の少なくとも前記外面シートと重なる位置に、不織布が設けられていることを特徴とする。
【００１３】
請求項５に記載の発明は、請求項１〜４の何れか一項に記載の吸収性物品において、
前記外面シートの前記バックシートとの固定部に、人体に装着される外装体に当該吸収性物品を固定するための接着剤が塗布されたずれ止め部を備えることを特徴とする。
【発明の効果】
【００１４】
本発明によれば、吸収体に、長手方向に延在する開口部又は厚みが薄く形成された凹み部が、使用者の手の指に対応するように長手方向に互いにずれた配置で幅方向に複数並設されているため、吸収性物品を人体や紙おむつを清拭する用途に使用する場合に、吸収体が開口部又は凹み部に沿って折れ曲がり易く、吸収性物品を手で容易に掴むことができるとともに、清拭時に、触ったものの触感をより明確に得ることができる。
また、バックシートの吸収体と反対側の面における開口部又は凹み部を覆う位置に、外面シートが、外面シートとバックシートとの間に手を挿入可能となるようにバックシートに固定されて設けられているため、吸収性物品を人体や紙おむつを清拭する用途に用いる場合に、外面シートとバックシートとの間に手を挿入して清拭作業を行うことで、吸収性物品が手から外れにくくなり、吸収性物品がより掴み易いものとなる。
【図面の簡単な説明】
【００１５】
【図１】第１の実施形態におけるインナーパッドの内面側平面図である。
【図２】第１の実施形態におけるインナーパッドの外面側平面図である。
【図３】第１の実施形態におけるインナーパッドの外面側斜視図である。
【図４】図２のIV−IV線における断面図である。
【図５】第２の実施形態におけるインナーパッドの外面側平面図である。
【図６】図５のVI−VI線における断面図である。
【図７】第３の実施形態におけるインナーパッドの外面側平面図である。
【図８】変形例におけるインナーパッドの外面側平面図である。
【発明を実施するための形態】
【００１６】
以下、本発明に係る実施の形態を図面に基づいて説明する。なお、発明の範囲は図示例に限定されない。
【００１７】
[第１の実施形態]
まず、本発明に係る第１の実施形態について、図１〜図４を参照して説明する。第１の実施形態１では、吸収性物品として、使い捨て紙おむつなどの内部に備えて使用するインナーパッドを例示して説明する。
【００１８】
第１の実施形態に係るインナーパッド１は、図１〜４に示すように、人体との接触面側に設けられ、尿などの体液を速やかに透過させる透液性のトップシート１１と、人体との接触面と反対側に設けられた不透液性のバックシート１２と、バックシート１２の吸収体１４と反対側の面１２ａに設けられた外面シート１３と、トップシート１１とバックシート１２との間に介装される吸収体１４と、等を備えて構成されている。
このインナーパッド１では、人体の股部を腹側から背側にかけて覆うように、長手方向Ｙにおける一方の端部に腹側部１５が形成され、他方の端部に背側部１６が形成されている。
なお、以下の説明では、バックシート１２における吸収体１４と反対側の面１２ａを、バックシート１２の「外面」という。
【００１９】
トップシート１１は、有孔または無孔の不織布や、多孔性プラスチックシートなどにより形成され、透液性を有している。
不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
また、トップシート１１に多数の透孔を形成した場合には、体液がより速やかに吸収されるようになり、ドライタッチ性に優れたものとなる。
【００２０】
バックシート１２は、不透液性及び通気性を有するシート材により形成されている。不透液性と通気性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。バックシート１２が高通気性のシート材により形成されることで、インナーパッド１装着時の蒸れを防止することができる。
なお、バックシート１２は、少なくとも不透液性を有していれば良い。
【００２１】
バックシート１２とトップシート１１は、略同一形状に形成されており、腹側部１５、背側部１６及び幅方向Ｘの両端部において、吸収体１４の周囲に延在した部分が、ホットメルト接着剤等によって互いに固着されている。
なお、バックシート１２やトップシート１１の形状は、図１〜図４に例示する矩形形状に限られず、例えば、長手方向Ｙ中央領域における幅方向Ｘの長さを、長手方向Ｙの両端部である腹側部１５や背側部１６の幅より狭く形成した砂時計様の形状としても良い。
【００２２】
外面シート１３は、例えば、有孔または無孔の不織布により形成され、通気性を有している。外面シート１３は、バックシート１２よりも長手方向Ｙの長さが短い略矩形形状に形成され、バックシート１２の外面１２ａにおける腹側部１５寄りの位置であって、吸収体１４に形成された後述の開口部１４１Ａ〜１４１Ｅを覆う位置に設けられている。
【００２３】
外面シート１３は、周縁部１３１の一部がホットメルト接着剤やヒートシール等によってバックシート１２の外面１２ａに固定され、固定部Ｆが形成されている。そして、外面シート１３の周縁部１３１のうち、少なくとも対向する２辺の一部がバックシート１２に固定されることで、バックシート１２と外面シート１３との間に、使用者の手を挿入可能な空間Ｓを形成できるようになっている。
本実施形態では、外面シート１３の周縁部１３１における背側部１６側の１辺（背側部１６側の端部１３１ｃ）を除いた残りの３辺（腹側部１５側の端部１３１ａ、幅方向Ｘ両端部１３１ｂ）が、バックシート１２に固定され、固定部Ｆとなっている。すなわち、外面シート１３の周縁部１３１における吸収体１４の周囲に延在した部分（図２において一点鎖線で囲まれた領域）が、外面シート１３とバックシート１２との固定部Ｆとなっており、背側部１６側が開放されている。これにより、バックシート１２と外面シート１３との間に、使用者の手を挿入可能な袋状の空間Ｓが形成され、使用者は、外面シート１３とバックシート１２とが固定されていない背側部１６側から、バックシート１２と外面シート１３との間に形成された空間Ｓに手を挿入することができる。
【００２４】
そして、インナーパッド１を人体や紙おむつを清拭する用途に用いる場合に、バックシート１２と外面シート１３との間に形成された空間Ｓに手を挿入して清拭作業を行うことで、使用者の手が外面シート１３とバックシート１２との間に保持されて、インナーパッド１が手から外れにくくなる。したがって、清拭時に、インナーパッド１を手でより確実且つ容易に保持して作業を行うことができ、インナーパッド１の取り扱い易さが高まるとともに、作業中にインナーパッド１が手から外れてしまうというトラブルを防止することができる。
【００２５】
また、バックシート１２とトップシート１１の間には、幅方向Ｘ両側端部に、長手方向Ｙに沿うように、糸ゴム等の弾性部材３０が配置されている。本実施形態では、図１〜４に示すように、２つの弾性部材３０が、腹側部１５から背側部１６に亘って平行に配され、これにより、インナーパッド１の幅方向Ｘ両側端部の領域に平面ギャザー３１、３１が形成されている。この平面ギャザー３１、３１は、インナーパッド１を装着した場合に装着者にフィットするように伸縮自在な構造となっており、体液の横漏れを防止することができる。
また、平面ギャザー３１、３１が形成されていることで、バックシート１２と外面シート１３との間に形成された空間Ｓに手を挿入して清拭作業を行う際に、平面ギャザー３１の収縮力によりインナーパッド１がお椀型の形状に湾曲し、インナーパッド１が更に掴み易いものとなる。そして、インナーパッド１が使用者の手の指や掌に対してフィットすることとなり、清拭作業を素早く且つ適切に行うことができる。
【００２６】
また、図示は省略するが、外面シート１３の周縁部１３１のうち、バックシート１２に固定されていない辺、すなわち、固定部Ｆが設けられていない辺（本実施形態では、背側部１６側の端部１３１ｃ）は、出荷時において、少なくともその一部がバックシート１２に仮止めされており、インナーパッド１の装着時に、外面シート１３とバックシート１２との間に余計な空間Ｓが形成されるのを防止している。使用者は、インナーパッド１を清拭に使用する際に、この仮止めを外し、外面シート１３とバックシート１２との間の空間Ｓに手を挿入して清拭作業を行うことができる。
【００２７】
吸収体１４は、インナーパッド１の使用時に、体液としての尿等の水様成分を吸収するものであり、綿やパルプ等の吸収性素材や、高吸水性樹脂（ＳＡＰ；Super Absorbent Polymer）や、繊維或いはフィルム等のシート状基材とを組み合わせて形成される。
吸収体１４は、インナーパッド１の腹側部１５側から背側部１６側に亘る長さに形成され、略矩形形状に形成されている。なお、吸収体１４の形状はこれに限られず、例えば、長手方向Ｙ中央領域に相当する部分の幅を、長手方向Ｙの両端部である腹側部１５や背側部１６に相当する部分の幅より狭く形成した砂時計様の形状としても良い。
【００２８】
また、吸収体１４の腹側部１５寄りの位置には、長手方向Ｙに延在する開口部１４１Ａ〜１４１Ｅが、幅方向Ｘに５つ並んで設けられている。これらの開口部１４１Ａ〜１４１Ｅは、使用者が背側部１６側から手を延ばすようにしてバックシート１２の外面１２ａに手や指を置いた場合に、その使用者の手の５本の指のそれぞれに対応するように、長手方向Ｙに互いにずれた位置に形成されている。また、５つの開口部１４１Ａ〜１４１Ｅは、幅方向Ｘにおいて左右対称に形成されている。
例えば、図１〜図３に示すように、中指に対応する開口部１４１Ｃは、最も腹側部１５寄りの位置に形成され、親指又は小指に対応する開口部１４１Ａ、１４１Ｅは、共に、最も背側部１６寄りの位置に形成され、人差し指及び薬指に対応する開口部１４１Ｂ、１４１Ｄは、共に、開口部１４１Ｃと開口部１４１Ａ、１４１Ｅとの中間位置に形成されている。
【００２９】
吸収体１４は、このような開口部１４１Ａ〜１４１Ｅを有することにより、開口部１４１Ａ〜１４１Ｅを有しない状態で例えば２００ｇ／ｍ2である目付け量が、例えば１００ｇ／ｍ2以下程度に減少している。
【００３０】
そして上述のように、吸収体１４において長手方向Ｙに延在する開口部１４１Ａ〜１４１Ｅが設けられることにより、インナーパッド１を人体や紙おむつを清拭する用途に用いる場合に、使用者がバックシート１２の外面１２ａ側からインナーパッド１を掴むと、使用者の手の曲がりに追従して、吸収体１４が開口部１４１Ａ〜１４１Ｅに沿って折れ曲がることとなり、インナーパッド１を手で確実且つ容易に掴んで保持することができる。また、吸収体１４におけるこれらの開口部１４１Ａ〜１４１Ｅが、使用者の手の指に沿う位置に形成されているため、清拭時に、使用者の各指がバックシート１２とトップシート１１のみを介して、清拭の対象に触れることとなる。
【００３１】
以上説明した第１の実施形態の吸収性物品としてのインナーパッド１によれば、トップシート１１とバックシート１２との間に介装される吸収体１４に、長手方向Ｙに延在する開口部１４１Ａ〜１４１Ｅが幅方向Ｘに５つ（複数）形成されており、インナーパッド１を人体や紙おむつを清拭する用途に使用する場合に、使用者が、バックシート１２の外面（吸収体１４と反対側の面）１２ａ側からインナーパッド１を掴むと、吸収体１４が開口部１４１Ａ〜１４１Ｅに沿って折れ曲がり、インナーパッド１が手にフィットすることとなる。これにより、トップシート１１とバックシート１２との間に介装された吸収体１４が厚みをもって形成されている場合であっても、清拭時に、インナーパッド１を手で確実且つ容易に掴んで保持することができる。したがって、清拭時に、インナーパッド１を動かし易く、清拭作業を素早く且つ適切に行うことができる。
【００３２】
また、バックシート１２の外面（吸収体１４と反対側の面）１２ａにおける吸収体１４の開口部１４１Ａ〜１４１Ｅを覆う位置に、外面シート１３が、手を挿入可能となるようにバックシート１２に固定されて設けられている。したがって、インナーパッド１を人体や紙おむつを清拭する用途に用いる場合に、外面シート１３とバックシート１２との間に手を挿入して清拭作業を行うことで、インナーパッド１が手から外れにくくなり、インナーパッド１がより掴み易いものとなる。これにより、インナーパッド１の取り扱い易さが高まるとともに、作業中にインナーパッド１から手が外れるというトラブルを防止することができる。
【００３３】
また、吸収体１４の開口部１４１Ａ〜１４１Ｅは、使用者の５本の指に対応して５つ形成されているため、清拭時に、使用者の各指がバックシート１２とトップシート１１のみを介して、清拭の対象に触れることとなり、バックシート１２と吸収体１４とトップシート１１を介して清拭の対象に触れた場合よりも、触ったものの触感を各指の感覚としてより明確に得ることができる。これにより、例えば、便の固さ等の汚物の状態をより把握し易くなったり、また、清拭時に、触ったものの固さに合わせて加える力を調整することができる。
【００３４】
また、吸収体１４の開口部１４１Ａ〜１４１Ｅは、幅方向Ｘにおいて左右対称に形成されているため、左手と右手のどちらでインナーパッド１を掴んで清拭作業を行っても同じ効果が得られることとなり、使い勝手のよいものとなる。
【００３５】
さらに、吸収体１４に長手方向Ｙに延在する開口部１４１Ａ〜１４１Ｅが設けられることで、インナーパッド１を紙おむつの人体との接触面に重ねて使用したり、インナーパッド１を紙おむつの外側の面に重ねて使用する場合であっても、紙おむつの形状に合わせてインナーパッド１が変形して、インナーパッド１を紙おむつや人体により確実にフィットさせることができる。
【００３６】
また、吸収体１４に開口部１４１Ａ〜１４１Ｅが設けられ、さらに、外面シート１３とバックシート１２とが通気性を有することにより、インナーパッド１を装着した場合に、吸収体１４の開口部１４１Ａ〜１４１Ｅを介して蒸れた空気が発散され易くなり、装着時の蒸れを防止することができる。
また、吸収体１４に開口部１４１Ａ〜１４１Ｅが設けられることで、体液の拡散が促進され、拡散された体液が吸収体１４に吸収されることとなるため、体液漏れをより確実に防止することができる
さらに、吸収体１４に開口部１４１Ａ〜１４１Ｅを形成した分だけ、製品の軽量化とコストの低減とを図ることができる。
【００３７】
なお、吸収体１４の開口部１４１Ａ〜１４１Ｅは、必ずしも左右対称に形成されていなくても良い。例えば、使用者の右手、又は、左手のいずれか一方の指に沿う位置に形成されていても良い。
また、これらの開口部１４１Ａ〜１４１Ｅは、長手方向Ｙの長さが異なるように形成されていても良く、また、同一の長さに形成されていても良い。
また、各開口部１４１Ａ〜１４１Ｅの形状も図示した矩形形状に限られず、例えば、指の形に沿った形状とされていても良い。この場合、各開口部１４１Ａ〜１４１Ｅが、同一の形状とされていても良く、また、それぞれの指の形に沿った形状とされていても良い。
さらに、開口部１４１Ａ〜１４１Ｅは５つに限られず、少なくとも２つの開口部が形成されていれば良い。なお、インナーパッド１が使用者の手の指や掌に、より確実にフィットするように、開口部を３つ以上備えていることが好ましい。
【００３８】
また、外面シート１３は、バックシート１２の外面１２ａにおける腹側部１５寄りの位置に限られず、長手方向Ｙ中央領域や背側部１６寄りの位置に設けられていても良い。また、外面シート１３は、その周縁部１３１のうち、少なくとも対向する２辺の一部のみがバックシート１２に固定されていればよい。
外面シート１３を、バックシート１２の外面１２ａにおける背側部１６よりの位置に設ける場合には、使用者が、腹側部１５側からバックシート１２と外面シート１３との間の空間Ｓに手を挿入することができるように、外面シート１３の周縁部１３１のうち、腹側部１５側の１辺を除いた３辺をバックシート１２に固定することができる。
また、外面シート１３を、バックシート１２の外面１２ａにおける腹側部１５寄りの位置又は背側部１６寄りの位置に設けた場合であっても、外面シート１３の周縁部１３１のうち、背側部１６側と腹側部１５側を除く幅方向Ｘ両端部の２辺のみをバックシート１２に固定することで、通気性が高まり、蒸れにくいという効果を得ることができる。また、外面シート１３とバックシート１２との間で手を深く挿入することで、清拭時に手がずれにくいという効果を得ることもできる。
【００３９】
[第２の実施形態]
次に、本発明に係る第２の実施形態について、図５及び図６を参照して説明する。第２の実施形態では、上記第１の実施形態と同様に、吸収性物品としてインナーパッドを例示して説明する。この第２の実施形態では、前述した第１の実施形態と同様の構成については、同じ符号を付して重複する説明は省略するものとする。また、この第２の実施形態では、専ら第１の実施形態と異なる部分についてのみ説明を行い、特にことわりがない場合には第１の実施形態と同じ構成を有しているものとする。
【００４０】
第２の実施形態のインナーパッド２は、上記第１の実施形態のインナーパッド１に加え、更に、図５及び図６に示すように、バックシート１２の外面（吸収体１４と反対側の面）１２ａに不織布１７が設けられている。すなわち、第２の実施形態において、外面シート１３は、バックシート１２の外面１２ａに設けられた不織布１７を介して、バックシート１２の外面１２ａに固定されている。
本実施形態では、不織布１７は、例えば、バックシート１２と略同一形状に形成され、バックシート１２の外面１２ａにホットメルト接着剤等により接着されている。
【００４１】
このように、第２の実施形態の吸収性物品としてのインナーパッド２によれば、バックシート１２の外面１２ａに不織布１７が設けられていることにより、インナーパッド２を人体や紙おむつを清拭する用途する場合に、使用者がバックシート１２の外面１２ａ側からインナーパッド２を掴んだ際に、使用者の手が不織布１７に接触することとなり、柔らかく、さらさらとした良好な手触りを得ることができる。
また、バックシート１２の外面１２ａに不織布１７を設けることで、体液漏れをより確実に防止することができ、且つ、蒸れにくさを維持することができる。
【００４２】
なお、不織布１７の形状は、バックシート１２と略同一形状に限られず、バックシート１２の外面１２ａにおける少なくとも外面シート１３が設けられた位置に設けられていれば良い。
【００４３】
[第３の実施形態]
次に、本発明に係る第３の実施形態について、図７を参照して説明する。第３の実施形態では、上記各実施形態と同様に、吸収性物品としてインナーパッドを例示して説明する。この第３の実施形態では、前述した第１の実施形態と同様の構成については、同じ符号を付して重複する説明は省略するものとする。また、この第３の実施形態では、専ら第１の実施形態と異なる部分についてのみ説明を行い、特にことわりがない場合には第１の実施形態と同じ構成を有しているものとする。
【００４４】
第３の実施形態のインナーパッド３は、上記第１の実施形態のインナーパッド１に加え、更に、図７に示すように、外面シート１３がバックシート１２に固定された固定部Ｆに、ずれ止め部１８が設けられている。これらのずれ止め部１８は、人体に装着する紙おむつや下着等の外装体に、インナーパッド３を固定する役割を果たし、外面シート１３の外面（バックシート１２と反対側の面）１２ａに接着剤を塗布することによって形成される。
本実施形態では、固定部Ｆ上における腹側部１５側の端部１３１ａと、長手方向Ｙ中央領域における幅方向Ｘ両端部１３１ｂとの３箇所に、ずれ止め部１８が設けられている。
【００４５】
ずれ止め部１８に塗布される接着剤は、例えば、一般的に耐久性において優れた性質をもっているポリアクリル酸エステルを主体としたアクリル系接着剤や、天然ゴム、合成ゴムの弾力性成分と粘着付与剤が主成分で、これに可塑剤、老化防止剤などが配合されているゴム系接着剤などを使用することが出来、またそれ以外にホットメルト接着剤などの既知の接着剤も使用可能である。
【００４６】
さらに、各ずれ止め部１８には、これらのずれ止め部１８に止着・剥離自在に止着される剥離紙１９が設けられている。
剥離紙１９は、ずれ止め部１８に設けられた接着剤を保護する役割を成し、ナプキン使用時には剥離紙１９を剥がす事によって粘着剤が塗布されたずれ止め部１８を露呈させ、外装体に止着させることで固定する。剥離紙１９としては、剥離紙基材に剥離剤を塗布したものが好ましく用いられる。剥離紙基材としては、ポリプロピレン、低密度ポリエチレン、ポリビニルアルコール等のフィルムあるいは不織布や紙及びこれらの複合材料を用いることが出来、剥離剤としては、シリコーン系、フッ素系、イソシアネート系等のものが好ましく用いられる。特に、シリコーン樹脂系のものを剥離紙基材に塗布して加熱乾燥するか、スプレーで吹きつけ薄い被膜を形成させる等して用いるのが好ましい。
【００４７】
このように第３の実施形態の吸収性物品としてのインナーパッド３によれば、インナーパッド３を、人体に装着する紙おむつや下着等の外装体に固定するためのずれ止め部１８が、外面シート１３とバックシート１２とが固定された固定部Ｆに設けられている。そのため、紙おむつや下着等の外装体にインナーパッド３を重ねて使用する場合に、インナーパッド３をずれ止め部１８により外装体に貼り付けて使用することで、装着時におけるインナーパッド３のずれを防止することができる。すなわち、インナーパッド３を固定するためのずれ止め部１８が、外面シート１３における固定部Ｆ以外の領域に設けられた場合には、インナーパッド１の装着時に、外面シート１３とバックシート１２との間に余計な空間Ｓができて、インナーパッド３が外装体からずれてしまう可能性があるが、ずれ止め部１８を固定部Ｆ上に設けたことで、インナーパッド３全体をより確実に外装体に固定して、このようなずれを防止することができる。
【００４８】
なお、ずれ止め部１８の数や配置位置、形状は、上記の例に限られず、例えば、バックシート１２の外面１２ａにずれ止め部１８を設けることとしても良い。
【００４９】
[変形例]
次に、吸収性物品としてのインナーパッドの変形例について、図８を参照して説明する。
【００５０】
変形例のインナーパッド４は、図８に示すように、外面シート２０が、バックシート１２の外面（吸収体２１と反対側の面）１２ａにおける長手方向Ｙ中央領域に設けられている。また、外面シート２０の周縁部２０１のうち、腹側部１５側の端部２０１ａと背側部１６側の端部２０１ｃとを除く幅方向Ｘ両端部２０１ｂのみがバックシート１２に固定されている。すなわち、長手方向Ｙ中央領域の幅方向Ｘ両端部２０１ｂに固定部Ｆａが形成され、外面シート２０における腹側部１５側の端部２０１ａと背側部１６側の端部２０１ｃとが開放されている。
さらに、吸収体２１の長手方向Ｙ中央領域には、長手方向Ｙの長さが同じ５つの開口部２１１Ａ〜２１１Ｅが、幅方向Ｘにおいて左右対称に設けられている。
【００５１】
このように、変形例における吸収性物品としてのインナーパッド４では、外面シート２０がバックシート１２の外面１２ａにおける長手方向Ｙ中央領域に設けられるとともに、外面シート２０における幅方向Ｘ両端部２０１ｂのみがバックシート１２に固定されている。したがって、使用者は、背側部１６と腹側部１５の両方から、バックシート１２と外面シート２０との間の空間Ｓに手を挿入することができ、使い勝手を向上させることができる。
また、吸収体２１に、同一の長さを有する５つの開口部２１１Ａ〜２１１Ｅが形成されているため、使用者が、腹側部１５と背側部１６のいずれから、バックシート１２と外面シート２０との間に手を挿入して清拭作業を行っても、同じ効果を得ることができる。
さらに、外面シート２０における幅方向Ｘ両端部２０１ｂのみがバックシート１２に固定されることで、外面シート２０における腹側部１５側と背側部１６側の両方から、蒸れた空気が外部に発散されることとなり、インナーパッド４の装着時における蒸れにくさを更に高めることができる。
【００５２】
なお、本発明は上記実施形態に限られず、本発明の趣旨を逸脱しない範囲において、種々の改良並びに設計の変更を行ってもよい。
【００５３】
例えば、上記の各実施形態では、吸収体に開口部を設ける場合について説明したが、吸収体に、開口部の代わりに、厚みが薄く形成された凹み部を形成することとしても良い。この凹み部は、例えば、他の領域よりも目付け量を減少させることにより形成することができる。また、エンボス加工により、凹み部を形成することも可能である。
なお、凹み部は、開口部と同様に、少なくとも２つ形成されていれば良いが、インナーパッド１が使用者の手の指や掌に、より確実にフィットするように、３つ以上の凹み部を備えていることが好ましい。
【００５４】
また、例えば、吸収体に、幅方向Ｘの長さがそれぞれ異なる開口部や凹み部を設けることとしても良い。
【００５５】
また、例えば、外面シートを、伸縮性のある材料により形成しても良い。このように構成した場合には、清拭時に、使用者が外面シートとバックシート１２との間に手を挿入すると外面シートが伸縮して手にフィットし、外面シートとバックシート１２との間により確実に使用者の手が保持されることとなり、作業性が一層向上することとなる。
また、バックシート１２における吸収体１４と反対側の面に、複数の外面シートを、長手方向Ｙに並べるように設けることとしても良い。この場合には、より広い面を使って清拭を行うことができる。
【００５６】
また、その他、具体的な細部構造等についても適宜に変更可能であることは勿論である。
【符号の説明】
【００５７】
１  インナーパッド（吸収性物品）
１１  トップシート
１２  バックシート
１３  外面シート
１４  吸収体
１４１Ａ〜１４１Ｅ  開口部
２  インナーパッド（吸収性物品）
１７  不織布
３  インナーパッド（吸収性物品）
１８  ずれ止め部
４  インナーパッド（吸収性物品）
２０  外面シート
２１  吸収体
２１１Ａ〜２１１Ｅ  開口部
Ｆ、Ｆａ  固定部
Ｘ  幅方向
Ｙ  長手方向
【図１】
0005528731.tif 000002
【図２】
0005528731.tif 000003
【図３】
0005528731.tif 000004
【図４】
0005528731.tif 000005
【図５】
0005528731.tif 000006
【図６】
0005528731.tif 000007
【図７】
0005528731.tif 000008
【図８】
0005528731.tif 000009